(57)【要約】【課題】制御信号が機器に反映されない場合のユーザの操作負担を軽減することが可能なリモコン装置を提供する。【解決手段】このリモコン装置１０は、テレビ２０に対するユーザの指示を受け付ける受付ボタン３と、受付ボタン３により受け付けられたユーザの指示に基づいてテレビ２０に対して制御コードを送信する赤外線通信部６と、テレビ２０の動作状態に起因するテレビ２０周辺の音声の変化に基づいて制御コードがテレビ２０に反映されていないと判断された場合に、制御コードをテレビ２０に対して再送するように赤外線通信部６を制御する制御部７とを備える。【選択図】図２
2013162414.tif 000002
【特許請求の範囲】
【請求項１】
機器に対するユーザの指示を受け付ける受付部と、
前記受付部により受け付けられたユーザの指示に基づいて前記機器に対して制御信号を送信する送信部と、
前記機器の動作状態に起因する前記機器周辺の環境の変化に基づいて前記制御信号が前記機器に反映されていないと判断された場合に、前記制御信号を前記機器に対して再送するように前記送信部を制御する制御部とを備える、リモコン装置。
【請求項２】
前記制御部は、前記機器の動作状態に起因して前記機器周辺の環境が変化しない場合に、前記制御信号が前記機器に反映されていないと判断して前記制御信号を再送する制御を行うように構成されている、請求項１に記載のリモコン装置。
【請求項３】
前記機器周辺の環境の変化を検知する検知部をさらに備え、
前記制御部は、前記検知部の検知結果に基づいて、前記機器の動作状態に起因して前記機器周辺の環境が変化しない場合に前記制御信号が前記機器に反映されていないと判断するように構成されている、請求項２に記載のリモコン装置。
【請求項４】
前記検知部は、前記機器周辺の明るさを検知する照度検知部、前記機器周辺の音声を検知する音声検知部、前記機器周辺を撮像する撮像部、および、前記機器周辺の温度を検知する温度検知部の少なくとも１つを含む、請求項３に記載のリモコン装置。
【請求項５】
前記機器は、照明機器と、音声出力可能な表示機器とを含み、
前記送信部は、前記照明機器および前記表示機器に対して前記制御信号を送信可能に構成されており、
前記制御部は、前記照明機器に対して前記表示機器よりも先に前記制御信号を送信する制御を行うとともに、前記照度検知部による検知結果に基づいて前記制御信号が前記照明機器に反映されたか否かを判断した後、前記音声検知部による検知結果に基づいて前記制御信号が前記表示機器に反映されたか否かを判断するように構成されている、請求項４に記載のリモコン装置。
【請求項６】
前記機器との間で双方向通信可能な通信部をさらに備え、
前記制御部は、前記機器の動作状態に起因する前記機器周辺の環境の変化に加えて、前記通信部による通信結果にも基づいて、前記制御信号が前記機器に反映されたか否かを判断するように構成されている、請求項１〜５のいずれか１項に記載のリモコン装置。
【請求項７】
前記送信部は、前記制御信号を複数の前記機器に対して送信可能に構成されており、
前記制御部は、前記制御信号が前記複数の機器に対して送信された場合に、前記複数の機器のうち、前記制御信号が反映されていない機器に対して前記制御信号を再送する制御を行うように構成されている、請求項１〜６のいずれか１項に記載のリモコン装置。
【請求項８】
前記送信部は、互いに異なる送信方式で前記制御信号を送信する第１送信部および第２送信部を含み、
前記制御部は、前記第１送信部により送信された前記制御信号が前記機器に反映されていないと判断された場合に、前記第２送信部により前記制御信号を再送する制御を行うように構成されている、請求項１〜７のいずれか１項に記載のリモコン装置。
【請求項９】
再送された前記制御信号が前記機器に反映されていないと判断された場合に、ユーザに対してエラーを報知する報知部をさらに備える、請求項１〜８のいずれか１項に記載のリモコン装置。
【請求項１０】
リモコン装置と、
前記リモコン装置から送信される制御信号を受信するとともに、前記制御信号に対応して動作する機器とを備え、
前記リモコン装置は、
前記機器に対するユーザの指示を受け付ける受付部と、
前記受付部により受け付けられたユーザの指示に基づいて前記機器に対して制御信号を送信する送信部と、
前記機器の動作状態に起因する前記機器周辺の環境の変化に基づいて前記制御信号が前記機器に反映されていないと判断された場合に、前記制御信号を前記機器に対して再送するように前記送信部を制御する制御部とを含んでいる、リモコンシステム。
【請求項１１】
前記リモコン装置は、前記機器との間で双方向通信可能な通信部をさらに含み、
前記制御部は、前記機器の動作状態に起因する前記機器周辺の環境の変化に加えて、前記通信部による通信結果にも基づいて、前記制御信号が前記機器に反映されたか否かを判断するように構成されている、請求項１０に記載のリモコンシステム。
【発明の詳細な説明】
【技術分野】
【０００１】
この発明は、リモコン装置およびリモコンシステムに関し、特に、機器に対して制御信号を送信可能なリモコン装置、および、そのようなリモコン装置を備えたリモコンシステムに関する。
【背景技術】
【０００２】
従来、機器に対して制御信号を送信可能なリモコン装置が知られている（たとえば、特許文献１参照）。
【０００３】
上記特許文献１には、複数の操作スイッチからなるキー操作部と、表示部と、マイクロコンピュータとを備え、機器に対してリモコンデータ（制御信号）を送信可能なリモコン装置が開示されている。このリモコン装置は、リモコンデータが機器に反映されない場合に、送信内容を確認するためにリモコンデータに対応するコード信号を表示部に表示するように構成されている。
【先行技術文献】
【特許文献】
【０００４】
【特許文献１】特開平６−１７８３６８号公報
【発明の概要】
【発明が解決しようとする課題】
【０００５】
しかしながら、上記特許文献１のリモコン装置では、リモコンデータ（制御信号）が機器に反映されない場合に、表示部にコード信号を表示して送信内容を確認可能である一方、リモコンデータが機器に反映されない場合に、リモコンデータ（制御信号）を送信する操作をユーザが再度行う必要があるという不都合がある。このため、ユーザに負担が掛かるという問題点がある。
【０００６】
この発明は、上記のような課題を解決するためになされたものであり、この発明の１つの目的は、制御信号が機器に反映されない場合のユーザの操作負担を軽減することが可能なリモコン装置およびそのようなリモコン装置を備えたリモコンシステムを提供することである。
【課題を解決するための手段】
【０００７】
この発明の第１の局面によるリモコン装置は、機器に対するユーザの指示を受け付ける受付部と、受付部により受け付けられたユーザの指示に基づいて機器に対して制御信号を送信する送信部と、機器の動作状態に起因する機器周辺の環境の変化に基づいて制御信号が機器に反映されていないと判断された場合に、制御信号を機器に対して再送するように送信部を制御する制御部とを備える。なお、本発明のリモコン装置とは、単にリモコン機能を有する装置に限らず、たとえば、情報端末としての機能など、リモコン機能以外の機能も兼ね備えた装置を含む広い概念である。
【０００８】
この発明の第１の局面によるリモコン装置では、上記のように、制御信号が機器に反映されていないと判断された場合に、制御信号を機器に対して再送するように送信部を制御する制御部を設けることによって、制御信号が機器に反映されない場合には、送信部から制御信号が自動的に再送されるので、ユーザが制御信号を送信する操作を再度行う必要がない。これにより、制御信号が機器に反映されない場合のユーザの操作負担を軽減することができる。また、機器の動作状態に起因する機器周辺の環境の変化に基づいて、機器による制御信号の反映状態が判断されるので、機器からリモコン装置に対して反映状態を知らせる信号を送信する必要がなく、その結果、リモコン装置への送信機能を有しない機器に対しても反映状態を判断して自動的に制御信号を再送することができる。
【０００９】
上記第１の局面によるリモコン装置において、好ましくは、制御部は、機器の動作状態に起因して機器周辺の環境が変化しない場合に、制御信号が機器に反映されていないと判断して制御信号を再送する制御を行うように構成されている。このように構成すれば、制御部により、機器の動作状態に起因する機器周辺の環境の変化に基づいて、容易に、制御信号を自動的に再送することができる。
【００１０】
この場合、好ましくは、機器周辺の環境の変化を検知する検知部をさらに備え、制御部は、検知部の検知結果に基づいて、機器の動作状態に起因して機器周辺の環境が変化しない場合に制御信号が機器に反映されていないと判断するように構成されている。このように構成すれば、検知部により機器周辺の環境の変化を検知して容易に機器による制御信号の反映状態を判断することができる。
【００１１】
上記検知部を備えた構成において、好ましくは、検知部は、機器周辺の明るさを検知する照度検知部、機器周辺の音声を検知する音声検知部、機器周辺を撮像する撮像部、および、機器周辺の温度を検知する温度検知部の少なくとも１つを含む。このように構成すれば、照度検知部、音声検知部、撮像部および温度検知部の少なくとも１つにより、機器周辺の環境の変化を容易に検知することができる。
【００１２】
上記検知部が照度検知部、音声検知部、撮像部および温度検知部の少なくとも１つを含む構成において、好ましくは、機器は、照明機器と、音声出力可能な表示機器とを含み、送信部は、照明機器および表示機器に対して制御信号を送信可能に構成されており、制御部は、照明機器に対して表示機器よりも先に制御信号を送信する制御を行うとともに、照度検知部による検知結果に基づいて制御信号が照明機器に反映されたか否かを判断した後、音声検知部による検知結果に基づいて制御信号が表示機器に反映されたか否かを判断するように構成されている。このように構成すれば、表示機器よりも先に照明機器を動作させることができるので、照度検知部により照明機器周辺の明るさを検知する際に、表示機器の動作状態に起因して照明機器周辺の明るさが変化するのを防止することができる。その結果、制御部により、照度検知部による検知結果に基づいて、制御信号が照明機器に反映されたか否かを精度よく判断することができる。
【００１３】
上記第１の局面によるリモコン装置において、好ましくは、機器との間で双方向通信可能な通信部をさらに備え、制御部は、機器の動作状態に起因する機器周辺の環境の変化に加えて、通信部による通信結果にも基づいて、制御信号が機器に反映されたか否かを判断するように構成されている。このように構成すれば、制御部により、機器周辺の環境の変化と双方向通信可能な通信部による通信結果との両方に基づいて、制御信号が機器に反映されたか否かを精度よく判断することができる。
【００１４】
上記第１の局面によるリモコン装置において、好ましくは、送信部は、制御信号を複数の機器に対して送信可能に構成されており、制御部は、制御信号が複数の機器に対して送信された場合に、複数の機器のうち、制御信号が反映されていない機器に対して制御信号を再送する制御を行うように構成されている。このように構成すれば、複数の機器のうちの制御信号が反映されていない機器に対してのみ制御信号が再送されるので、制御信号が反映された機器に対して繰り返し同じ制御信号が送信されるのを防止することができる。
【００１５】
上記第１の局面によるリモコン装置において、好ましくは、送信部は、互いに異なる送信方式で制御信号を送信する第１送信部および第２送信部を含み、制御部は、第１送信部により送信された制御信号が機器に反映されていないと判断された場合に、第２送信部により制御信号を再送する制御を行うように構成されている。このように構成すれば、制御信号が機器に反映されなかった送信方式とは異なる送信方式で制御信号が再送されるので、複数種類の送信方式を用いてより確実に制御信号を機器に反映させることができる。
【００１６】
上記第１の局面によるリモコン装置において、好ましくは、再送された制御信号が機器に反映されていないと判断された場合に、ユーザに対してエラーを報知する報知部をさらに備える。このように構成すれば、報知部により、再送された制御信号が機器に反映されていないことをユーザに容易に知らせることができる。
【００１７】
この発明の第２の局面によるリモコンシステムは、リモコン装置と、リモコン装置から送信される制御信号を受信するとともに、制御信号に対応して動作する機器とを備え、リモコン装置は、機器に対するユーザの指示を受け付ける受付部と、受付部により受け付けられたユーザの指示に基づいて機器に対して制御信号を送信する送信部と、機器の動作状態に起因する機器周辺の環境の変化に基づいて制御信号が機器に反映されていないと判断された場合に、制御信号を機器に対して再送するように送信部を制御する制御部とを含んでいる。
【００１８】
この発明の第２の局面によるリモコンシステムでは、上記のように、制御信号が機器に反映されていないと判断された場合に、制御信号を機器に対して再送するように送信部を制御する制御部を設けることによって、制御信号が機器に反映されない場合には、送信部から制御信号が自動的に再送されるので、ユーザが制御信号を送信する操作を再度行う必要がない。これにより、制御信号が機器に反映されない場合のユーザの操作負担を軽減することができる。また、機器の動作状態に起因する機器周辺の環境の変化に基づいて、機器による制御信号の反映状態が判断されるので、機器からリモコン装置に対して反映状態を知らせる信号を送信する必要がなく、その結果、リモコン装置への送信機能を有しない機器に対しても反映状態を判断して自動的に制御信号を再送することができる。
【００１９】
上記第２の局面によるリモコンシステムにおいて、好ましくは、リモコン装置は、機器との間で双方向通信可能な通信部をさらに含み、制御部は、機器の動作状態に起因する機器周辺の環境の変化に加えて、通信部による通信結果にも基づいて、制御信号が機器に反映されたか否かを判断するように構成されている。このように構成すれば、リモコン装置の制御部により、機器周辺の環境の変化と双方向通信可能な通信部による通信結果との両方に基づいて、制御信号が機器に反映されたか否かを精度よく判断することができる。
【発明の効果】
【００２０】
本発明によれば、上記のように、制御信号が機器に反映されない場合のユーザの操作負担を軽減することができる。
【図面の簡単な説明】
【００２１】
【図１】本発明の第１実施形態によるリモコン装置を示したブロック図である。
【図２】本発明の第１実施形態によるリモコン装置の制御コード自動再送処理を示したフローチャートである。
【図３】本発明の第２実施形態によるリモコン装置を示したブロック図である。
【図４】本発明の第２実施形態によるリモコン装置の制御コード自動再送処理を示したフローチャートである。
【図５】本発明の第３実施形態によるリモコン装置を示したブロック図である。
【図６】本発明の第３実施形態によるリモコン装置の制御コード自動再送処理を示したフローチャートである。
【図７】本発明の第１〜第３実施形態の変形例によるリモコン装置を示したブロック図である。
【発明を実施するための形態】
【００２２】
以下、本発明の実施形態を図面に基づいて説明する。
【００２３】
（第１実施形態）
図１を参照して、本発明の第１実施形態によるリモコン装置１０の構成について説明する。
【００２４】
第１実施形態によるリモコン装置１０は、表示部１と、マイク２と、受付ボタン３と、フラッシュＲＯＭ（ＦＬＡＳＨ  ＲＯＭ）４と、ＲＡＭ５と、赤外線通信部６と、制御部（ＣＰＵ）７とを備えている。また、リモコン装置１０は、受付ボタン３を介して受け付けられるユーザの指示に基づいて、テレビ２０に対して電源のＯＮ／ＯＦＦを切り替える制御コードを送信することが可能に構成されている。また、リモコン装置１０は、テレビ２０に対して制御コードを送信したにもかかわらず制御コードがテレビ２０に反映されない場合に、テレビ２０に対して制御コードを再送するように構成されている。また、リモコン装置１０とテレビ２０とにより、第１実施形態のリモコンシステム１００が構成されている。なお、テレビ２０は、本発明の「機器」の一例である。
【００２５】
表示部１は、液晶ディスプレイからなり、エラーメッセージなどの各種情報をユーザに表示するために設けられている。なお、表示部１は、本発明の「報知部」の一例である。マイク２は、テレビ２０の動作状態に起因して変化するテレビ２０周辺の音声を検知可能に構成されている。すなわち、マイク２は、テレビ２０から出力される音声を検知することが可能である。なお、マイク２は、本発明の「検知部」および「音声検知部」の一例である。
【００２６】
受付ボタン３は、ユーザにより押下可能に構成されている。ユーザは、受付ボタン３を押下することによって、テレビ２０の電源の切り替えを指示することが可能である。なお、受付ボタン３は、本発明の「受付部」の一例である。
【００２７】
フラッシュＲＯＭ４は、書き換え可能な不揮発性メモリである。また、フラッシュＲＯＭ４は、後述する制御コード自動再送処理において用いられる各種情報を記憶するように構成されている。ＲＡＭ５は、揮発性メモリであり、制御部７の作業領域として利用される。
【００２８】
赤外線通信部６は、ユーザの指示に基づいて、テレビ２０に対して赤外線通信で制御コードを送信するように構成されている。テレビ２０は、赤外線通信で送信された制御コードに応じた電源の切り替え動作を行う。なお、赤外線通信部６は、本発明の「送信部」の一例である。
【００２９】
制御部７は、ＣＰＵからなり、図示しないコンピュータプログラムを実行することによりリモコン装置１０全体の動作を制御するように構成されている。また、制御部７は、後述する制御コード自動再送処理を実行するように構成されている。
【００３０】
次に、図２を参照して、第１実施形態によるリモコン装置１０の制御部７により実行される制御コード自動再送処理について説明する。
【００３１】
制御部７は、ステップＳ１において、ユーザにより受付ボタン３が押下されたか否かを判断し、押下されるまでこの判断を繰り返す。受付ボタン３が押下されると、制御部７は、ステップＳ２において、ユーザの指示に基づく制御コードを送信するように赤外線通信部６を制御する。
【００３２】
ここで、第１実施形態では、ステップＳ３において、制御部７は、制御コードがテレビ２０に反映されたか否かを判断する。この際、制御部７は、マイク２により検知されるテレビ２０の音声の有無に基づいて、制御コードが反映されたか否かを判断する。たとえば、テレビ２０の電源をＯＮにする制御コードを送信した場合には、制御部７は、マイク２によりテレビ２０から出力される音声が検知された場合に、制御コードがテレビ２０に反映されたと判断する。一方、テレビ２０の電源をＯＦＦにする制御コードを送信した場合には、制御部７は、マイク２により検知されるテレビ２０の音声が消えた場合に、制御コードがテレビ２０に反映されたと判断する。すなわち、制御部７は、テレビ２０の動作状態（ＯＮ状態またはＯＦＦ状態）に起因してテレビ２０周辺の音声が変化した場合に制御コードが反映されたと判断し、テレビ２０周辺の音声が変化しない場合に制御コードが反映されていないと判断する。なお、音声の変化は、本発明の「環境の変化」の一例である。
【００３３】
そして、制御コードがテレビ２０に反映されたと判断した場合には、そのまま制御コード自動再送処理を終了する。制御コードがテレビ２０に反映されていないと判断した場合には、制御部７は、ステップＳ４において、制御コードの送信回数が最大回数（たとえば、５回）に到達したか否かを判断する。リモコン装置１０は、制御コードを繰り返して送信する最大回数を予め設定可能に構成されている。制御部７は、送信回数が最大回数に到達していない場合には、ステップＳ２に戻って制御コードを再送する。
【００３４】
その後、制御コードが反映されるまで、ステップＳ２〜Ｓ４の動作によって制御コードが繰り返し再送される。送信回数が最大回数に到達すると、制御部７は、ステップＳ５において、制御コードがテレビ２０に反映されなかったことを報知するエラーメッセージを表示部１に表示させる。
【００３５】
第１実施形態では、上記のように、制御コードがテレビ２０に反映されていないと判断された場合に、制御コードをテレビ２０に対して再送するように赤外線通信部６を制御する制御部７を設けることによって、制御コードがテレビ２０に反映されない場合には、赤外線通信部６から制御コードが自動的に再送されるので、ユーザが制御コードを送信する操作を再度行う必要がない。これにより、制御コードがテレビ２０に反映されない場合のユーザの操作負担を軽減することができる。また、テレビ２０の動作状態に起因するテレビ２０周辺の音声の変化に基づいて、テレビ２０による制御コードの反映状態が判断されるので、テレビ２０からリモコン装置１０に対して反映状態を知らせる信号を送信する必要がなく、その結果、リモコン装置１０への送信機能を有しないテレビ２０に対しても反映状態を判断して自動的に制御コードを再送することができる。
【００３６】
また、第１実施形態では、テレビ２０の動作状態に起因してテレビ２０周辺の音声が変化しない場合に、制御コードがテレビ２０に反映されていないと判断して制御コードを再送する制御を行うように制御部７を構成する。これにより、制御部７により、テレビ２０の動作状態に起因するテレビ２０周辺の音声の変化に基づいて、容易に、制御コードを自動的に再送することができる。
【００３７】
また、第１実施形態では、マイク２の検知結果に基づいて、テレビ２０の動作状態に起因してテレビ２０周辺の音声が変化しない場合に制御コードがテレビ２０に反映されていないと判断するように制御部７を構成する。これにより、マイク２によりテレビ２０周辺の音声の変化を検知して容易にテレビ２０による制御コードの反映状態を判断することができる。
【００３８】
また、第１実施形態では、再送された制御コードがテレビ２０に反映されていないと判断された場合に、ユーザに対してエラーを報知する表示部１を設ける。これにより、表示部１により、再送された制御コードがテレビ２０に反映されていないことをユーザに容易に知らせることができる。
【００３９】
（第２実施形態）
次に、図３を参照して、本発明の第２実施形態によるリモコン装置２１０の構成について説明する。この第２実施形態では、上記第１実施形態と異なり、複数種類の送信方式で制御コードを送信可能な構成について説明する。なお、リモコン装置２１０とテレビ２０とにより、第２実施形態のリモコンシステム２００が構成されている。
【００４０】
第２実施形態では、リモコン装置２１０は、赤外線通信に対応した赤外線通信部６と、Ｂｌｕｅｔｏｏｔｈ（登録商標）通信に対応したＢｌｕｅｔｏｏｔｈ（登録商標）通信部６１と、電力通信網３０を介して通信可能な電力線通信に対応した電力線通信部６２とを備えている。また、第２実施形態のテレビ２０は、赤外線通信、Ｂｌｕｅｔｏｏｔｈ（登録商標）通信および電力線通信の３つの通信方式に対応可能に構成されている。なお、赤外線通信部６は、本発明の「送信部」および「第１送信部」の一例であり、Ｂｌｕｅｔｏｏｔｈ（登録商標）通信部６１は、本発明の「送信部」および「第２送信部」の一例である。また、電力線通信部６２は、本発明の「送信部」および「第２送信部」の一例である。
【００４１】
Ｂｌｕｅｔｏｏｔｈ（登録商標）通信部６１は、テレビ２０に対して制御コードを無線で送信可能に構成されている。電力線通信部６２は、コンセント３０ａを介して電力通信網３０に接続されている。また、電力線通信部６２は、コンセント３０ａを介して電力通信網３０に接続されたテレビ２０に対して、電力通信網３０を介して制御コードを送信可能に構成されている。
【００４２】
次に、図４を参照して、第２実施形態によるリモコン装置２１０の制御部７により実行される制御コード自動再送処理について説明する。
【００４３】
制御部７は、ステップＳ２１において、ユーザにより受付ボタン３が押下されたか否かを判断し、押下されるまでこの判断を繰り返す。受付ボタン３が押下されると、制御部７は、ステップＳ２２において、ユーザの指示に基づく制御コードを送信するように赤外線通信部６を制御する。
【００４４】
その後、ステップＳ２３において、制御部７は、赤外線通信により送信された制御コードがテレビ２０に反映されたか否かを判断する。この際、制御部７は、マイク２により検知されるテレビ２０の音声の有無に基づいて、制御コードが反映されたか否かを判断する。赤外線通信により送信した制御コードが反映されたと判断した場合には、そのまま制御コード自動再送処理を終了する。
【００４５】
一方、赤外線通信により送信した制御コードが反映されていないと判断した場合には、制御部７は、ステップＳ２４において、制御コードを再送するようにＢｌｕｅｔｏｏｔｈ（登録商標）通信部６１を制御する。すなわち、テレビ２０に反映されなかった送信方式とは異なる送信方式で制御コードが再送される。そして、制御部７は、ステップＳ２５において、ステップＳ２３と同様に、Ｂｌｕｅｔｏｏｔｈ（登録商標）通信により送信した制御コードがテレビ２０に反映されたか否かを判断する。Ｂｌｕｅｔｏｏｔｈ（登録商標）通信により送信した制御コードが反映されたと判断した場合には、そのまま制御コード自動再送処理を終了する。
【００４６】
また、Ｂｌｕｅｔｏｏｔｈ（登録商標）通信により送信した制御コードが反映されていないと判断した場合には、制御部７は、ステップＳ２６において、制御コードを再送するように電力線通信部６２を制御する。すなわち、テレビ２０に反映されなかった１回目および２回目の送信方式とは異なる送信方式で制御コードが再送される。そして、制御部７は、ステップＳ２７において、ステップＳ２３およびＳ２５と同様に、電力線通信により送信した制御コードがテレビ２０に反映されたか否かを判断する。電力線通信により送信した制御コードが反映されたと判断した場合には、そのまま制御コード自動再送処理を終了する。一方、電力線通信により送信した制御コードが反映されていないと判断した場合には、制御部７は、ステップＳ２８において、制御コードがテレビ２０に反映されなかったことを報知するエラーメッセージを表示部１に表示させる。すなわち、複数の送信方式（赤外線通信、Ｂｌｕｅｔｏｏｔｈ（登録商標）通信および電力線通信）の全てで制御コードが反映されなかった場合に、エラーメッセージが表示される。
【００４７】
なお、第２実施形態のその他の構成は、上記第１実施形態と同様である。
【００４８】
第２実施形態の構成では、上記のように、赤外線通信部６により送信された制御コードがテレビ２０に反映されていないと判断された場合に、Ｂｌｕｅｔｏｏｔｈ（登録商標）通信部６１および電力線通信部６２により制御コードを再送する制御を行うように制御部７を構成する。これにより、制御コードがテレビ２０に反映されなかった送信方式とは異なる送信方式で制御コードが再送されるので、複数種類の送信方式を用いてより確実に制御コードをテレビ２０に反映させることができる。
【００４９】
また、第２実施形態の構成でも、上記第１実施形態と同様に、制御コードがテレビ２０に反映されていないと判断された場合に、制御コードをテレビ２０に対して再送するように赤外線通信部６が制御されるので、ユーザが制御コードを送信する操作を再度行う必要がない。その結果、制御コードがテレビ２０に反映されない場合のユーザの操作負担を軽減することができる。
【００５０】
なお、第２実施形態のその他の効果は、上記第１実施形態と同様である。
【００５１】
（第３実施形態）
次に、図５を参照して、本発明の第３実施形態によるリモコン装置３１０の構成について説明する。この第３実施形態では、上記第２実施形態と異なり、複数の機器に対して制御コードを送信可能な構成について説明する。なお、リモコン装置３１０、テレビ２０、照明４０および冷暖房機５０により、第３実施形態のリモコンシステム３００が構成されている。なお、テレビ２０は、本発明の「機器」および「表示機器」の一例であり、照明４０は、本発明の「機器」および「照明機器」の一例である。また、冷暖房機５０は、本発明の「機器」の一例である。
【００５２】
第３実施形態では、リモコン装置３１０は、赤外線通信部６と、Ｂｌｕｅｔｏｏｔｈ（登録商標）通信部６１と、電力線通信部６２とを備えている。また、第３実施形態の受付ボタン３は、複数の機器に対する指示を一括して受け付けることが可能に構成されている。詳細には、リモコン装置３１０は、受付ボタン３が押下された場合に制御コードを送信する機器を予め設定可能に構成されており、ユーザは制御コードを送信する機器を任意に設定することが可能である。また、第３実施形態のリモコン装置３１０では、機器の設定に際して、機器ごとに制御コードの送信方式を独立して設定することが可能である。
【００５３】
また、リモコン装置３１０は、明るさを検知する照度センサ２１と、温度を検知する温度センサ２２とを備えている。照度センサ２１は、照明４０の動作状態に起因して変化する照明４０周辺の明るさを検知可能に構成されている。温度センサ２２は、冷暖房機５０の動作状態に起因して変化する冷暖房機５０周辺の温度を検知可能に構成されている。なお、照度センサ２１は、本発明の「検知部」および「照度検知部」の一例であり、温度センサ２２は、本発明の「検知部」および「温度検知部」の一例である。
【００５４】
次に、図６を参照して、第３実施形態によるリモコン装置３１０の制御部７により実行される制御コード自動再送処理について説明する。ここでは、第３実施形態の制御コード自動再送処理の一例として、受付ボタン３が押下された場合に、テレビ２０、照明４０および冷暖房機５０の全てに対して電源をＯＮまたはＯＦＦにする指示の制御コードを送信する構成について説明する。また、図５に示すように、テレビ２０に対してＢｌｕｅｔｏｏｔｈ（登録商標）通信により制御コードを送信し、照明４０に対して赤外線通信により制御コードを送信するとともに、冷暖房機５０に対して電力線通信により制御コードを送信するように設定されている。
【００５５】
制御部７は、ステップＳ３１において、ユーザにより受付ボタン３が押下されたか否かを判断し、押下されるまでこの判断を繰り返す。受付ボタン３が押下されると、制御部７は、ステップＳ３２において、ユーザの指示に基づく制御コードを、テレビ２０、照明４０および冷暖房機５０に対して所定の優先順序で送信する制御を行う。詳細には、制御部７は、まず、照度センサ２１による検知結果に基づいて反映状態の判断が行われる照明４０に対して赤外線通信により制御コードを送信する。その後、制御部７は、マイク２による検知結果に基づいて反映状態の判断が行われるテレビ２０に対してＢｌｕｅｔｏｏｔｈ（登録商標）通信により制御コードを送信する。そして、制御部７は、最後に、温度センサ２２による検知結果に基づいて反映状態の判断が行われる冷暖房機５０に対して電力線通信により制御コードを送信する。すなわち、制御コードを送信する優先順序は、検知される対象（明るさ、音声、温度）に基づいて、他の対象の検知結果に与える影響が少なくなるように決定されている。
【００５６】
これにより、照明４０についての反映状態の判断を行う際に、テレビ２０から出力される光が照度センサ２１による検知結果に影響を与えるのを防止することが可能である。また、テレビ２０についての反映状態の判断を行う際に、冷暖房機５０から出力される音声がマイク２による検知結果に影響を与えるのを防止することが可能である。なお、テレビ２０および照明４０の動作状態に起因する冷暖房機５０周辺の温度変化は、冷暖房機５０の動作状態に起因する温度変化に対して微小である。このため、冷暖房機５０についての反映状態の判断を行う際には、テレビ２０および照明４０の動作状態は温度センサ２２による検知結果にほとんど影響を与えないと考えられる。
【００５７】
また、制御部７は、ステップＳ３３において、制御コードが全ての機器に反映されたか否かを判断する。詳細には、制御部７は、照度センサ２１により検知される照明４０周辺の明るさの変化に基づいて、制御コードが照明４０に反映されたか否かを判断する。その後、制御部７は、マイク２により検知されるテレビ２０周辺の音声の変化に基づいて、制御コードがテレビ２０に反映されたか否かを判断する。さらにその後、制御部７は、温度センサ２２により検知される冷暖房機５０周辺の温度の変化に基づいて、制御コードが冷暖房機５０に反映されたか否かを判断する。なお、明るさの変化、音声の変化および温度の変化は、それぞれ、本発明の「環境の変化」の一例である。
【００５８】
また、図６では、説明の便宜上、制御コードを送信する動作（ステップＳ３２）と制御コードの反映状態の判断動作（ステップＳ３３）とを、互いに別個のステップで示したが、実際には、これらの動作は互いに並行して行われる。具体的には、制御コードの反映状態の判断動作において、他の機器の影響を受けないように、テレビ２０が動作する前に、照度センサ２１により照明４０周辺の明るさを検知して照明４０の反映状態の判断を行うとともに、冷暖房機５０が動作する前にマイク２によりテレビ２０周辺の音声を検知してテレビ２０の反映状態の判断を行う。
【００５９】
そして、制御コードが全ての機器に反映されたと判断した場合には、そのまま制御コード自動再送処理を終了する。一方、いずれかの機器で反映されていないと判断した場合には、制御部７は、ステップＳ３４において、反映していない機器に対してのみ制御コードを再送する。すなわち、制御コードは、既に制御コードを反映して正常に動作している機器に対しては再送されない。
【００６０】
その後、ステップＳ３５において、制御部７は、制御コードの送信回数が最大回数（たとえば、５回）に到達したか否かを判断し、制御コードが全ての機器に反映されるまで、ステップＳ３３〜Ｓ３５の動作により制御コードを繰り返し再送する。送信回数が最大回数に到達すると、制御部７は、ステップＳ３６において、制御コードが反映されなかった機器があることを報知するエラーメッセージを表示部１に表示させる。この際、エラーメッセージは、制御コードを反映していない機器を特定可能なように表示される。
【００６１】
なお、第３実施形態のその他の構成は、上記第２実施形態と同様である。
【００６２】
第３実施形態では、上記のように、テレビ２０よりも先に照明４０に対して制御コードを送信する制御を行うとともに、照度センサ２１による検知結果に基づいて制御コードが照明４０に反映されたか否かを判断した後、マイク２による検知結果に基づいて制御コードがテレビ２０に反映されたか否かを判断するように制御部７を構成する。これにより、テレビ２０よりも先に照明４０を動作させることができるので、照度センサ２１により照明４０周辺の明るさを検知する際に、テレビ２０の動作状態に起因して照明４０周辺の明るさが変化するのを防止することができる。その結果、制御部７により、照度センサ２１による検知結果に基づいて、制御コードが照明４０に反映されたか否かを精度よく判断することができる。
【００６３】
また、第３実施形態では、上記のように、制御コードが複数の機器に対して送信された場合に、複数の機器のうち、制御コードが反映されていない機器に対して制御コードを再送する制御を行うように制御部７を構成する。これにより、複数の機器のうちの制御コードが反映されていない機器に対してのみ制御コードが再送されるので、制御コードが反映された機器に対して繰り返し同じ制御コードが送信されるのを防止することができる。
【００６４】
また、第３実施形態の構成でも、上記第１実施形態と同様に、制御コードが機器に反映されていないと判断された場合に、制御コードを機器に対して再送するように送信部（赤外線通信部６、Ｂｌｕｅｔｏｏｔｈ（登録商標）通信部６１または電力線通信部６２）が制御されるので、ユーザが制御コードを送信する操作を再度行う必要がない。その結果、制御コードが機器に反映されない場合のユーザの操作負担を軽減することができる。
【００６５】
なお、第３実施形態のその他の効果は、上記第２実施形態と同様である。
【００６６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６７】
たとえば、上記第１〜第３実施形態では、本発明のリモコン装置の一例として、単にリモコン機能を有する構成を示したが、本発明はこれに限られない。本発明では、電話機能や情報端末としての機能など、リモコン機能以外の機能も兼ね備えた構成であってもよい。
【００６８】
また、上記第１〜第３実施形態では、マイク（音声検知部）による検知結果に基づいて、制御コード（制御信号）がテレビ（機器）に反映されたか否かを判断する例を示したが、本発明はこれに限られない。本発明では、たとえば図７に示すように、リモコン装置４１０にカメラ２３を設けて、カメラ２３による機器周辺の撮像結果（検知結果）に基づいて、制御信号が反映されたか否かを判断してもよい。テレビや照明などの機器の場合、動作状態に応じて機器周辺が視覚的に変化してカメラ２３による撮像画像が変化するので、撮像画像の変化に基づいて制御信号の反映状態の判断を行うことが可能である。すなわち、機器周辺の視覚的な変化に基づいて、制御信号が反映されたか否かが判断される。なお、カメラ２３は、本発明の「検知部」および「撮像部」の一例である。また、視覚的な変化は、本発明の「環境の変化」の一例である。
【００６９】
また、上記第１〜第３実施形態では、制御コード（制御信号）が機器に反映されたか否かを、機器の動作状態に起因する機器周辺の環境の変化にのみ基づいて、制御部により判断する例を示したが、本発明はこれに限られない。本発明では、図７に示すように、リモコン装置４１０にＷｉ−Ｆｉ（登録商標）などの双方向通信に対応した双方向通信部２４を設けるとともに、機器の動作状態に起因する機器周辺の環境の変化に加えて、双方向通信部２４による通信結果にも基づいて、制御信号が反映されたか否かを判断してもよい。
【００７０】
具体的には、双方向通信部２４は、機器との間で双方向通信可能であり、機器から制御信号を反映させた旨の信号を受信可能に構成されている。そして、制御部は、この通信結果に基づいて、制御信号が反映されたか否かを判断する。このように構成すれば、制御部により、機器周辺の環境の変化と双方向通信部２４による通信結果との両方に基づいて、制御信号が機器に反映されたか否かを精度よく判断することができる。この際、機器に対して制御信号を送信する送信部として、双方向通信部２４を用いてもよい。これにより、制御信号を送信するための専用の送信部を双方向通信部２４と別個に設ける必要がない。なお、双方向通信部２４は、本発明の「通信部」の一例である。
【００７１】
また、上記第１〜第３実施形態では、本発明の検知部としてのマイク、照度センサおよび温度センサをリモコン装置の内部に設ける例を示したが、本発明はこれに限られない。本発明では、対応する機器の近傍など、リモコン装置の外部に検知部を設けてもよい。
【００７２】
また、上記第１〜第３実施形態では、本発明の制御信号の一例として、機器の電源のＯＮ／ＯＦＦを切り替える制御コードを示したが、本発明はこれに限られない。本発明では、機器に対する制御信号であれば、電源のＯＮ／ＯＦＦを切り替える制御信号以外の制御信号であってもよい。
【００７３】
また、上記第１〜第３実施形態では、１つの送信部（赤外線通信部、Ｂｌｕｅｔｏｏｔｈ（登録商標）通信部または電力線通信部）から１つの機器に対して制御コード（制御信号）を送信する例を示したが、本発明はこれに限られない。本発明では、１つの送信部から複数の機器に対して制御信号を送信してもよい。
【００７４】
また、上記第１〜第３実施形態では、赤外線通信、Ｂｌｕｅｔｏｏｔｈ（登録商標）通信または電力線通信により制御コード（制御信号）を送信する例を示したが、本発明はこれに限られない。本発明では、赤外線通信、Ｂｌｕｅｔｏｏｔｈ（登録商標）通信および電力線通信以外の送信方式により制御信号を送信してもよい。
【００７５】
また、上記第１〜第３実施形態では、本発明の報知部の一例として、エラーメッセージを表示する表示部を示したが、本発明はこれに限られない。本発明では、たとえば、音声でエラーを報知するスピーカなど、表示部以外の報知部であってもよい。
【００７６】
また、上記第１〜第３実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００７７】
１  表示部（報知部）
２  マイク（検知部、音声検知部）
３  受付ボタン（受付部）
６  赤外線通信部（送信部、第１送信部）
７  制御部
１０、２１０、３１０、４１０  リモコン装置
２０  テレビ（機器、表示機器）
２１  照度センサ（検知部、照度検知部）
２２  温度センサ（検知部、温度検知部）
２３  カメラ（検知部、撮像部）
２４  双方向通信部（通信部）
４０  照明（機器、照明機器）
５０  冷暖房機（機器）
６１  Ｂｌｕｅｔｏｏｔｈ（登録商標）通信部（送信部、第２送信部）
６２  電力線通信部（送信部、第２送信部）
１００、２００、３００  リモコンシステム
【図１】
2013162414.tif 000003
【図２】
2013162414.tif 000004
【図３】
2013162414.tif 000005
【図４】
2013162414.tif 000006
【図５】
2013162414.tif 000007
【図６】
2013162414.tif 000008
【図７】
2013162414.tif 000009